(57)【要約】【課題】  高圧線に対するコネクタの締結部の位置合わせを容易に行うことができ、高圧線と高圧引下線との接続作業を円滑に行うことが可能な高圧引下線接続用コネクタ把持具を提供する。【解決手段】  コネクタ５０における対向する２つの締結部材５１、５２のうち一方の締結部材５２を着脱可能に把持するコネクタ把持部２１ｃ、２２ａを有する把持本体部２と、把持本体部２に対して揺動可能に設けられる揺動アーム３とを備え、揺動アーム３は、コネクタ５０の２つの締結部材５１、５２の間に高圧線１１０の導体露出部１１０ｂを介在させた状態で、外部からの操作による揺動によって高圧線１１０の導体露出部１１０ｂの両端近傍と接触し、コネクタ５０の２つの締結部材５１、５２の間に位置する第１の締結部５０ａが高圧線１１０の導体露出部１１０ｂと上下方向で合致するようにコネクタ５０を高圧線１１０に対して仮固定させる。【選択図】  図１
2015198534.tif 000002
【特許請求の範囲】
【請求項１】
間接活線作業に用いられ、高圧線が進入可能な第１の締結部と高圧引下線が進入可能な第２の締結部とが間隔をおいて形成されたコネクタを把持するための高圧引下線接続用コネクタ把持具であって、
前記コネクタにおける対向する２つの締結部材のうち一方の締結部材を着脱可能に把持するコネクタ把持部を有する把持本体部と、
前記把持本体部に対して揺動可能に設けられる揺動アームと、
を備え、
前記揺動アームは、前記コネクタの２つの締結部材の間に前記高圧線の導体露出部を介在させた状態で、外部からの操作による揺動によって前記高圧線の導体露出部の両端近傍と接触し、前記コネクタの前記２つの締結部材の間に位置する前記第１の締結部が前記高圧線の導体露出部と上下方向で合致するように前記コネクタを前記高圧線に対して仮固定させる、
ことを特徴とする高圧引下線接続用コネクタ把持具。
【請求項２】
前記把持本体部には、前記高圧線に対して仮固定された前記コネクタの前記２つの締結部材の間に位置する前記第２の締結部に前記高圧引下線の導体露出部を導く高圧引下線ガイドが形成されていることを特徴とする請求項１に記載の高圧引下線接続用コネクタ把持具。
【請求項３】
前記把持本体部には、前記揺動アームの揺動方向の動きをロックするロックピンが移動可能に設けられていることを特徴とする請求項１または２に記載の高圧引下線接続用コネクタ把持具。
【請求項４】
前記把持本体部には、間接活線作業用の絶縁操作棒が連結可能であることを特徴とする請求項１ないし３のいずれか１項に記載の高圧線用引下線コネクタ把持具。
【発明の詳細な説明】
【技術分野】
【０００１】
この発明は、間接活線作業において高圧線と高圧引下線とを接続するのに用いられるコネクタを把持するための高圧引下線接続用コネクタ把持具に関する。
【背景技術】
【０００２】
電気供給事業者において、配電系統における高圧線に変圧器を接続する際は、高圧線に高圧引下線を接続した後、この高圧引下線を介して変圧器を高圧線に接続している。従来では、高圧線がアルミニウム電線の場合は、圧縮スリーブを介して高圧線と高圧引下線との接続を行っている。また、高圧線が銅線の場合は、高圧線と高圧引下線との接続には締結ネジを有するコネクタが用いられている。コネクタを用いる高圧線と高圧引下線との接続作業は、コネクタにおける対向する２つの締結部材の間に形成された２つの締結部に高圧線と高圧引下線とをそれぞれ挿入し、締結ネジを締付けることにより行っている。
【０００３】
従来から、コネクタを用いた高圧線と引下線との接続に関する技術が知られている（例えば、特許文献１参照。）。特許文献１は、引下線用コネクタを高圧線に接続する際の作業性を向上させることが可能なコネクタ接続補助具に関するものである。
【先行技術文献】
【特許文献】
【０００４】
【特許文献１】特開２０１１−１１４９３５号公報
【発明の概要】
【発明が解決しようとする課題】
【０００５】
しかし、間接活線作業においては、高圧線から離れた位置から高圧線とコネクタの締結部との位置合わせを行う必要があり、高圧線に対してコネクタの締結部を容易に位置合わせすることが難しく、作業性が悪いという問題がある。特許文献１は、コネクタ接続補助具を用いて間接活線作業を行うものであるが、高圧線とコネクタの締結部との位置合わせは、離れた位置から目視によって行わなければならず、上記と同様に高圧線とコネクタの締結部との位置合わせが難しく、作業性が悪いという問題がある。
【０００６】
そこで本発明は、高圧線に対するコネクタの締結部の位置合わせを容易に行うことができ、高圧線と高圧引下線との接続作業を円滑に行うことが可能な高圧引下線接続用コネクタ把持具を提供することを目的とする。
【課題を解決するための手段】
【０００７】
上記目的を達成するために請求項１に記載の発明は、間接活線作業に用いられ、高圧線が進入可能な第１の締結部と高圧引下線が進入可能な第２の締結部とが間隔をおいて形成されたコネクタを把持するための高圧引下線接続用コネクタ把持具であって、前記コネクタにおける対向する２つの締結部材のうち一方の締結部材を着脱可能に把持するコネクタ把持部を有する把持本体部と、前記把持本体部に対して揺動可能に設けられる揺動アームと、を備え、前記揺動アームは、前記コネクタの２つの締結部材の間に前記高圧線の導体露出部を介在させた状態で、外部からの操作による揺動によって前記高圧線の導体露出部の両端近傍と接触し、前記コネクタの前記２つの締結部材の間に位置する前記第１の締結部が前記高圧線の導体露出部と上下方向で合致するように前記コネクタを前記高圧線に対して仮固定させる、ことを特徴とする高圧引下線接続用コネクタ把持具である。
【０００８】
この発明によれば、コネクタの２つの締結部材の間に高圧線の導体露出部を介在させ、この状態で外部からの操作により揺動アームを揺動させることによって、揺動アームは高圧線の導体露出部の両端近傍と接触することになる。これにより、コネクタは、揺動アームを介して高圧線に対して仮固定された状態となり、この状態ではコネクタの２つの締結部材の間に位置する第１の締結部は、高圧線の導体露出部と上下方向で合致することになる。
【０００９】
請求項２に記載の発明は、請求項１に記載の高圧引下線接続用コネクタ把持具において、前記把持本体部には、前記高圧線に対して仮固定された前記コネクタの前記２つの締結部材の間に位置する前記第２の締結部に前記高圧引下線の導体露出部を導く高圧引下線ガイドが形成されていることを特徴としている。
【００１０】
請求項３に記載の発明は、請求項１または２に記載の高圧引下線接続用コネクタ把持具において、前記把持本体部には、前記揺動アームの揺動方向の動きをロックするロックピンが移動可能に設けられていることを特徴としている。
【００１１】
請求項４に記載の発明は、請求項１ないし３のいずれか１項に記載の高圧線用引下線コネクタ把持具において、前記把持本体部には、間接活線作業用の絶縁操作棒が連結可能であることを特徴としている。
【発明の効果】
【００１２】
請求項１に記載の発明によれば、揺動アームを介してコネクタを高圧線に対して仮固定することができるので、高圧線に対するコネクタの締結部の位置合わせを容易に行うことができる。これにより、コネクタによる高圧線と高圧引下線との接続作業を円滑に行うことが可能となり、従来の間接活線作業に比べ高圧引下線の接続作業時間を短縮することができる。また、コネクタの締結部を高圧線に対して正確に位置決めすることができるので、作業のバラツキが解消でき、品質的に安定した間接活線作業を行うことが可能となる。
【００１３】
請求項２に記載の発明によれば、把持本体部に高圧引下線ガイドを形成したので、コネクタの第２の締結部に高圧引下線の導体露出部を容易に導くことができ、コネクタによる高圧線と高圧引下線との接続作業の能率をさらに高めることができる。
【００１４】
請求項３に記載の発明によれば、把持本体部には揺動アームの搖動方向の動きをロックするロックピンが移動可能に設けられるので、揺動アームの不要な揺動を規制することができ、揺動アームの不要な揺動に起因するコネクタの把持本体部からの脱落を防止することができる。
【００１５】
請求項４に記載の発明によれば、把持本体部には間接活線作業用の絶縁操作棒が連結可能であるので、高圧線から離れた位置からの操作でコネクタによる高圧線と高圧引下線との接続作業を行うことができる。
【図面の簡単な説明】
【００１６】
【図１】本発明の実施の形態に係わる高圧線用引下線コネクタ把持具の正面図である。
【図２】図１の高圧線用引下線コネクタ把持具の側面図である。
【図３】図１の高圧線用引下線コネクタ把持具の背面図である。
【図４】図１の高圧線用引下線コネクタ把持具の底面図である。
【図５】図１のコネクタの拡大正面図である。
【図６】図５のコネクタの締結完了状態を側面図である。
【図７】図５のコネクタの締結開始前の状態を示す側面図である。
【図８】図１の高圧線用引下線コネクタ把持具を装着した共用操作棒の正面図である。
【図９】図１の高圧線用引下線コネクタ把持具の使用開始前の状態を示す側面図である。
【図１０】図１の高圧線用引下線コネクタ把持具にコネクタを把持させた状態を示す側面図である。
【図１１】図１の高圧線における高圧引下線が接続される部分の拡大正面図である。
【図１２】図５のコネクタを把持した状態の高圧線用引下線コネクタ把持具を共用操作棒に装着した状態を示す側面図である。
【図１３】図１の高圧線用引下線コネクタ把持具の揺動アームを外部からの操作により揺動させた状態を示す側面図である。
【図１４】図１の高圧線とコネクタの締結部との位置関係を示す側面図である。
【図１５】図１の高圧線用引下線コネクタ把持具を用いた高圧線と高圧引下線との接続作業を示す正面図である。
【図１６】図５のコネクタを高圧線に仮固定した状態で高圧引下線をコネクタの締結部に導く作業を示す拡大正面図である。
【図１７】図５のコネクタによる高圧線と高圧引下線との接続作業完了状態を示す拡大側面図である。
【図１８】図５のコネクタによる高圧線と高圧引下線との接続作業完了状態を示す拡大正面図である。
【発明を実施するための形態】
【００１７】
つぎに、この発明の実施の形態について、図面を用いて詳しく説明する。
図１ないし図１８は、本発明の実施の形態を示しており、とくに電力供給事業者の配電系統における間接活線作業による高圧線と高圧引下線との接続作業に適用した場合を示している。図８は、本発明に係る高圧線用引下線コネクタ把持具１を絶縁操作棒としての共用操作棒１００に装着した状態を示している。図８において、共用操作棒１００は、連結軸１０１と、連結ピン１０２と、ロックネジ１０３と、連結部１０５と、操作棒本体１０６、絶縁傘部１０７を有している。連結軸１０１は、高圧線用引下線コネクタ把持具１側の連結筒部５が嵌合される部位であり、円柱状に形成されている。連結ピン１０２は、連結軸１０１に固定されており、共用操作棒１００の軸心Ｐ１に対して直交する方向に延びている。連結ピン１０２は、高圧線用引下線コネクタ把持具１側の連結筒部５に形成されたロック溝５ａの終端部と係合可能となっている。
【００１８】
ロックネジ１０３は、連結軸１０１の下方に形成されたネジ部（図示略）と螺合しており、連結ピン１０２と係合状態にある高圧線用引下線コネクタ把持具１の連結筒部５を上方に押圧する機能を有している。連結筒部５は、ロックネジ１０３の押圧によって、連結軸１０１に対して上下方向および軸心Ｐ１周りへの動きが阻止されている。連結部１０５は、連結軸１０１と操作棒本体１０６とを連結する機能を有している。操作棒本体１０６は、電気的絶縁性の高い部材から構成されており、上下方向に延びている。操作棒本体１０６の軸方向の途中には、円錐台状の絶縁傘部１０７が複数設けられている。絶縁傘部１０７は、操作棒本体１０６の上端部に付着した雨が操作棒本体１０６の下端側に流下するのを阻止する機能を有している。
【００１９】
図５ないし図７は、高圧線用引下線コネクタ把持具１によって把持されるコネクタ５０を示している。コネクタ５０は、第１の締結部材５１と、第２の締結部材５２と、開放用バネ５３と、締結ネジ５４とを有している。第１の締結部材５１と第２の締結部材５２とは、対向して配置されている。第１の締結部材５１は、例えば導電率の高い銅合金から構成されており、平面形状が略長方形に形成されている。第１の締結部材５１の第２の締結部材５２と対向する面には、図１１に示す高圧線１１０の導体露出部１００ｂと接触可能な第１の凹部５１ａと、図１６に示す高圧引下線１１の導体露出部１１１ｂと接触可能な第２の凹部５１ｂとが形成されている。第１の凹部５１ａと第２の凹部５１ｂは、上下方向に所定の間隔をもって形成されている。第１の締結部材５１における第１の凹部５１ａと第２の凹部５１ｂとの間には、係合用凹部５１ｃが形成されている。
【００２０】
第２の締結部材５２は、例えば導電率の高い銅合金から構成されており、平面形状が略長方形に形成されている。第２の締結部材５２の第１の締結部材５１と対向する面には、図１１に示す高圧線１１０の導体露出部１１０ｂと接触可能な第３の凹部５２ａと、図１６に示す高圧引下線１１の導体露出部１１１ｂと接触可能な第４の凹部５２ｂとが形成されている。第３の凹部５２ａと第４の凹部５２ｂは、上下方向に所定の間隔をもって形成されている。第２の締結部材５２における第３の凹部５２ａと第４の凹部５２ｂとの間には、係合用凸部５２ｃが形成されている。
【００２１】
コネクタ５０には、第１の締結部５０ａと第２の締結部５０ｂが形成されている。第１の締結部５０ａと第２の締結部５０ｂは、上下方向に所定の間隔をもって形成されている。すなわち、第１の締結部５０ａは、高圧線１１０の導体露出部１００ｂを接続するための部位であり、第１の凹部５１ａと第３の凹部５２ａとが対向することによって形成されている。同様に、第２の締結部５０ｂは、高圧引下線１１１の導体露出部１１１ｂを接続するための部位であり、第２の凹部５１ｂと第３の凹部５２ｂとが対向することによって形成されている。コネクタ５０は、第１の締結部材５１と第２の締結部材５２とが接近した状態では、係合用凹部５１ｃと係合用凸部５２ｃとが上下方向で係合し、第１の締結部材５１と第２の締結部材５２との上下方向の位置ずれが阻止されるようになっている。
【００２２】
コネクタ５０の左右側面には、開放用バネ５３がそれぞれ設けられている。各開放バネ５３は、第１の締結部５０ａと第２の締結部５０ｂに形成された支点部突起５１ｄ、５２ｄによって保持されている。各開放バネ５３は、支点部突起５１ｄ、５２ｄを中心として第１の締結部材５１と第２の締結部材５２とを外側に押圧（付勢）する機能を有している。コネクタ５０の中央部には、第１の締結部材５１に対して第２の締結部材５２を進退させるための締結ネジ５４が設けられている。
【００２３】
コネクタ５０は、締結ネジ５４の頭部５４ａを軸心周りに回動させることにより、第１の締結部５０ａと第２の締結部５０ｂとの間の距離を変化させる機能を有している。図６は、締結ネジを締付けた状態を示しており、図７は締結ネジを緩めた状態を示している。図７に示すように、締結ネジを緩めた状態では、第１の締結部５０ａに高圧線１１０の導体露出部１１０ｂが進入することが可能であり、かつ第２の締結部５０ｂに高圧引下線１１１の導体露出部１１１ｂが進入することが可能となっている。
【００２４】
図１ないし図４は、高圧線用引下線コネクタ把持具１を示している。高圧線用引下線コネクタ把持具１は、把持本体部２と、揺動アーム３と、ロックピン４と、連結筒部５とを備えている。高圧線用引下線コネクタ把持具１を構成する各部は、例えば金属部材から構成されている。把持本体部２は、垂直フレーム２１と、水平フレーム２２を有している。垂直フレーム２１は、上下方向に延びている。垂直フレーム２１の下部２１ａ側には、連結筒部５が連結されている。垂直フレーム２１の上部２１ｂ側には、揺動アーム２１が設けられている。垂直フレーム２１の表面側頂部には、第１のコネクタ把持部２１ｃが形成されている。第１のコネクタ把持部２１ｃは、後述する第２のコネクタ把持部２２ａとの協働によりコネクタ５０を着脱可能に保持する機能を有している。水平フレーム２２は、垂直フレーム２１の表面側の上下方向ほぼ中央に固定されている。図１に示すように、水平フレーム２２は垂直フレーム２１を中心として左右方向に水平に延びている。垂直フレーム２１の背面側には、図３に示すように、水平フレーム２２を垂直フレーム２１に固定するための座板２３とボルト２４が設けられている。
【００２５】
水平フレーム２２の表面側には、第２のコネクタ把持部２２ａが形成されている。第２のコネクタ把持部２２ａは、水平フレーム２２のコネクタ把持部２２ａの表面側上部を一部切除した部位であり、コネクタ５０の下部側が収納可能となっている。第２のコネクタ把持部２２ａは、コネクタ５０における対向する２つの締結部材５１、５２のうち第２の締結部材５２を着脱可能に保持する機能を有している。すなわち、コネクタ５０は、図１０に示すように、第２の締結部材５２の上部が垂直フレーム２１の頂部側に形成された円弧状の第１のコネクタ把持部２１ｃと係合し、第２の締結部材５２の下部が第２のコネクタ把持部２２ａとに接触することで、把持本体部２に着脱可能に把持されるようになっている。
【００２６】
把持本体部２の上部には、揺動アーム３が連結されている。揺動アーム３は、揺動アーム本体３１と、高圧線ガイド部３２と、揺動用リング３３とを有している。揺動アーム本体３１は、Ｌ字型に形成されており、把持本体部２の垂直フレーム２１に対して上下方向に揺動可能となっている。詳しくは、揺動アーム本体３１は、把持本体部２の垂直フレーム２１に対して移動可能に設けられるロックピン４を中心として揺動可能となっている。Ｌ字型に形成された揺動アーム本体３１の先端部側には、一対の高圧線ガイド部３２がボルト３４を介して固定されている。一方の高圧線ガイド部３２は、揺動アーム本体３１の左側に固定されている。他方の高圧線ガイド部３２は、揺動アーム本体３１の右側に固定されている。左右の高圧線ガイド部３２には、図１１に示す高圧線１１０の導体露出部１１０ｂの両端近傍と接触可能な円弧状のガイド面３２ａが形成されている。すなわち、円弧状のガイド面３２ａは、高圧線１１０における導体露出部１１０ｂの軸方向両端部の外周面と接触可能となっている。揺動アーム本体３１の頂部には、環状の搖動用リング３３が取付けられている。揺動用リング３３は、図１３に示すように、別の絶縁工具１２０の先端部と係合可能となっている。
【００２７】
揺動アーム３は、コネクタ５０の２つの締結部材５１、５２の間に高圧線１１０の導体露出部１１０ｂを介在させた状態で、別の絶縁工具１２０の操作による下方への揺動によって高圧線１１０の導体露出部１１０ｂの両端近傍と接触し、コネクタ５０の２つの締結部材５１、５２の間に位置する第１の締結部５０ａが高圧線１１０の導体露出部１１０ｂと上下方向で合致するように、コネクタ５０を仮固定させる機能を有している。
【００２８】
把持本体部２の水平フレーム２２には、高圧引下線ガイド２２ａが形成されている。高圧引下線ガイド２２ａは、高圧引下線１１１の径とほぼ同じ曲率を有する円弧状の湾曲面を有している。高圧引下線ガイド２２ａは、図７および図１６に示すように、高圧線１１０に対して仮固定されたコネクタ５０の２つの締結部材５１、５２の間に位置する第２の締結部５０ｂに高圧引下線１１１の導体露出部１１１ｂを導く機能を有している。把持本体部２には、コネクタ５が仮固定された状態で揺動アーム３の揺動方向の動きをロックするロックピン４が設けられている。ロックピン４は、コの字状に形成されており、基端部側が垂直フレーム２１に移動可能に挿通されている。ロックピン４の先端部側は、揺動アーム本体３１に形成されたロック孔（図示略）に進入可能となっている。ロックピン４の基端部４ａ側の外周には、ロックピン４を軸方向に付勢するスプリング４１が設けられている。
【００２９】
つぎに、本発明の実施の形態に係る高圧線用引下線コネクタ把持具１の操作手順および作用について説明する。
【００３０】
コネクタ５０を用いた高圧線１１０と高圧引下線１１１との接続作業は、例えば２人の作業者によって高圧線１１０の下方側から行われる。高圧線１１０にコネクタ５０を介して高圧引下線１１１を接続する際には、まず準備段階として、図９に示すように、ロックピン４を水平方向に移動させ、揺動アーム３を起き上がらせる方向に固定する。つぎに、図１０に示すように、コネクタ５０の第２の締結部材５２の上部を垂直フレーム２１の円弧状の第１のコネクタ把持部２１ｃと係合させた状態で、コネクタ５０第２の締結部材５２の下部を第２のコネクタ把持部２２ａに接触させることで、コネクタ５０を把持本体部２に着脱可能に把持させる。
【００３１】
コネクタ５０の高圧線用引下線コネクタ把持具１への把持が完了すると、図１０に示すように、高圧線用引下線コネクタ把持具１は絶縁操作棒としての共用操作棒１００の先端部に装着される。高圧線用引下線コネクタ把持具１の装着は、図８に示すように、共用操作棒１００のロックネジ１０３を下方に移動させた状態で、高圧線用引下線コネクタ把持具１の連結筒部５を共用操作棒１００の連結軸１０１に嵌め込む。そして、共用操作棒１００を軸心Ｐ１周りに回動させ、共用操作棒１００の連結ピン１０２を高圧線用引下線コネクタ把持具１の連結筒部５のロック溝５ａの終端部と係合させる。この状態でロックネジ１０３を軸心Ｐ１周りに回動させ、ロックネジ１０３を上方に移動させることにより、連結ピン１０２と係合状態にある連結筒部５をロックネジ１０３によって押圧する。これにより、連結筒部５は、連結軸１０１に対して上下方向および軸心Ｐ１周りへの動きが阻止され、高圧線用引下線コネクタ把持具１の共用操作棒１００への装着が完了する。
【００３２】
その後、共用操作棒１００を図１２の矢印Ｆ１に示すように上方に向けて上昇させる。そして、高圧線用引下線コネクタ把持具１に把持されたコネクタ５０を高圧線１１０の近くまで接近させ、図１４に示すように、コネクタ５０の２つの締結部材５１、５２の間に高圧線１１０の導体露出部１１０ａを介在させる。ここで、高圧線１１０にコネクタ５０を介して高圧引下線１１１を接続する際には、図１１に示すように、予め特殊工具（図示略）を用いて高圧線１１０における絶縁外皮１１０ａの軸方向の一部が長さＬ１だけ切除されている。
【００３３】
つぎに、コネクタ５０の２つの締結部材５１、５２の間に高圧線１１０の導体露出部１１０ａを介在させた状態で、絶縁工具１２０の操作により搖動アーム３を矢印Ｆ２に示すように下方に揺動させる。これにより、揺動アーム３の左右の高圧線ガイド部３２の円弧状のガイド面３２ａが高圧線１１０の導体露出部１１０ｂの両端近傍と接触し、図１４に示すように、コネクタ５０の２つの締結部材５１、５２の間に位置する第１の締結部５０ａが高圧線１１０の導体露出部１１０ｂと上下方向で合致するように、コネクタ５０は高圧線１１０に対して仮固定される。
【００３４】
図１５は、高圧線１１０の下方に設置された変圧器（図示略）から高圧線１１０に向けて延びる高圧引下線１１１を示している。高圧引下線１１１は、高圧線１１０からの垂れ下がり部分を高圧線１１０によって保持するため、垂れ下がり始端部１１１ｄを高圧線１１０に絡ませている。高圧引下線１１１の上端側は、高圧線１１０に沿ってコネクタ５０側に延びている。図１６は、高圧線１１０に対して仮固定されたコネクタ５０に高圧引下線１１１を接続する状態を示している。図１６に示すように、高圧引下線１１１は、高圧線１１０に接続される際は、上部先端部の絶縁外皮１１１ａが軸方向に所定の長さだけ切除されており、上部先端部は導体露出部１１１ｂのみとなっている。この状態で高圧引下線１１１は、別の絶縁工具１３０によって把持され、図１６の矢印Ｆ３に示すようにコネクタ５０に向けて水平方向に移動させられる。
【００３５】
ここで、把持本体部２の水平フレーム２２には、高圧引下線ガイド２２ａが形成されており、高圧引下線ガイド２２ａは、高圧引下線１１１の径とほぼ同じ曲率を有する円弧状の湾曲面を有しているので、高圧引下線１１１は絶縁外皮１１１ａが高圧引下線ガイド２２ａと接触した状態で水平方向に移動する。これにより、高圧引下線１１１は、コネクタ５０の第２の締結部５０ｂに対して垂直方向および水平方向に関して位置合わせされることになる。そして、高圧引下線１１１の導体露出部１１１ｂは、高圧線１１０に対して仮固定されたコネクタ５０の２つの締結部材５１、５２の間に位置する第２の締結部５０ｂへ円滑に導かれる。
【００３６】
コネクタ５０の第１の締結部５０ａに高圧線１１０の導体露出部１１０ｂが進入し、コネクタ５０の第２の締結部５０ｂに高圧引下線１１１の導体露出部１１１ｂが挿入された状態では、コネクタ５０の締結ネジ５４の締付けが開始される。締結ネジ５４の締付けは、別の共用操作棒（図示略）に装着されたトルクレンチ（図示略）によって、締結ネジ５４を矢印Ｆ４に示すように軸心Ｐ２周りに回転させることにより行われる。締結ネジ５４が所定のトルクで締付けられると、高圧線１１０の導体露出部１１０ｂと高圧引下線１１１の導体露出部１１１ｂは、共にコネクタ５０の２つの締結部材５１、５２によって締付けられた状態となり、高圧線１１０と高圧引下線１１１はコネクタ５０を介して電気的に接続される。図１８は、コネクタ５０を介して高圧線１１０と高圧引下線１１１とを電気的に接続した状態を示している。
【００３７】
高圧線１１０と高圧引下線１１１との接続が完了すると、外部からの操作によりロックピン４が水平方向に動かされ、揺動アーム３のロックが解除される。つぎに、揺動アーム３が外部からの操作によって上方に揺動し、コネクタ５０の仮固定は解除される。コネクタ５０は、把持本体部２によって第２の締結部材５２が着脱可能に把持されているので、共用操作棒１００を操作することによりコネクタ５０から把持本体部２を容易に離脱させることが可能となる。そして、共用操作棒１００に装着された高圧引下線接続用コネクタ把持具１を高圧線１１０から離れる方向に移動させることにより、高圧線１１０に対する高圧引下線１１１の接続作業が完了する。
【００３８】
このように、揺動アーム３を介してコネクタ５０を高圧線１１０に対して仮固定することができるので、高圧線１１０に対するコネクタ５０の第１の締結部５０ａの位置合わせを容易に行うことができる。これにより、コネクタ５０による高圧線１１０と高圧引下線１１１との接続作業を円滑に行うことが可能となり、従来の間接活線作業に比べ高圧引下線１１１の接続作業時間を短縮することができる。また、コネクタ５０の第の締結部５０ａを高圧線１１０に対して正確に位置決めすることができるので、作業のバラツキが解消でき、品質的に安定した間接活線作業を行うことが可能となる。さらに、把持本体部２に高圧引下線ガイド２２ａを形成したので、コネクタ５０の第２の締結部５０ｂに高圧引下線１１１の導体露出部１１１ｂを容易に導くことができ、コネクタ５０による高圧線１１０と高圧引下線１１１との接続作業の能率をさらに高めることができる。
【００３９】
把持本体部２には揺動アーム３の搖動方向の動きをロックするロックピン４が移動可能に設けられるので、揺動アーム３の不要な揺動を規制することができ、揺動アーム３の不要な揺動に起因するコネクタ５０の把持本体部２からの脱落を防止することができる。また、把持本体部２には間接活線作業用の絶縁操作棒としての共用操作棒１００が連結可能であるので、高圧線１００から離れた位置からの操作でコネクタ５０による高圧線１１０と高圧引下線１１１との接続作業を行うことができる。
【００４０】
以上、この発明の実施の形態ようを詳述してきたが、具体的な構成は上記の実施の形態に限られるものではなく、この発明の要旨を逸脱しない範囲の設計の変更等があっても、この発明に含まれる。例えば、この実施の形態においては、把持本体部２に高圧引下線ガイド２２ａを形成し、コネクタ５０の第２の締結部５０ｂに高圧引下線１１１の導体露出部１１１ｂを容易に導くようにしているが、作業者１人での間接活線作業の場合は、作業のための合図などが不要となり、高圧引下線１１１のコネクタ５０に対する位置合わせが２人作業の場合よりも容易となるので、高圧引下線ガイド２２ｂを設けなくとも、コネクタ５０を用いた高圧線１１０と高圧引下線１１１との接続作業は可能となる。また、この実施の形態においては、揺動アーム３のガイド面３２ａを高圧線１１０における導体露出部１１０ｂの軸方向両端部の外周面と接触させ、コネクタ５０を高圧線１１０に対して仮固定する構成としているが、揺動アーム３のガイド面３２ａを高圧線１１０の導体露出部１１０ｂの両側に位置する絶縁外皮１１０ａの外周面と接触させ、コネクタ５０を高圧線１１０に対して仮固定する構成としてもよい。
【符号の説明】
【００４１】
１                高圧引下線接続用コネクタ把持具
２                把持本体部
２１ｃ            第１のコネクタ把持部（コネクタ把持部）
２２ａ            第２のコネクタ把持部（コネクタ把持部）
２２ｂ            高圧引下線ガイド
３                揺動アーム
３２              高圧線ガイド部
４                ロックピン
５０              コネクタ
５０ａ            第１の締結部
５０ｂ            第２の締結部
５１              第１の締結部材
５２              第２の締結部材
５４              締結ネジ
１００            共用操作棒（絶縁操作棒）
１１０            高圧線
１１０ａ          絶縁外皮
１１０ｂ          導体露出部
１１１            高圧引下線
１１１ａ          絶縁外皮
１１１ｂ          導体露出部
【図１】
2015198534.tif 000003
【図２】
2015198534.tif 000004
【図３】
2015198534.tif 000005
【図４】
2015198534.tif 000006
【図５】
2015198534.tif 000007
【図６】
2015198534.tif 000008
【図７】
2015198534.tif 000009
【図８】
2015198534.tif 000010
【図９】
2015198534.tif 000011
【図１０】
2015198534.tif 000012
【図１１】
2015198534.tif 000013
【図１２】
2015198534.tif 000014
【図１３】
2015198534.tif 000015
【図１４】
2015198534.tif 000016
【図１５】
2015198534.tif 000017
【図１６】
2015198534.tif 000018
【図１７】
2015198534.tif 000019
【図１８】
2015198534.tif 000020